(57)【特許請求の範囲】
【請求項１】
観察者が装着して用いるヘッド・マウント・ディスプレイであって、
左眼用並びに右眼用の映像を表示する表示部と、
前記映像に付随した音声を出力する音声出力部と、
前記音声出力部から出力する音量をユーザーが指示操作するユーザー操作部と、
観察者が前記ヘッド・マウント・ディスプレイを装着したか否かを検出する装着センサーと、
前記ユーザー操作部を介した音量操作に対する音量の調整を制御する制御部と、
を具備し、
前記制御部は、前記装着センサーにより観察者が前記ヘッド・マウント・ディスプレイを装着していないと検出した無装着状態では、前記ユーザー操作部を介した音量の増大を指示する操作を無効にする、
ヘッド・マウント・ディスプレイ。
【請求項２】
観察者が装着して用いるヘッド・マウント・ディスプレイであって、
左眼用並びに右眼用の映像を表示する表示部と、
前記映像に付随した音声を出力する音声出力部と、
前記音声出力部から出力する音量をユーザーが指示操作するユーザー操作部と、
観察者が前記ヘッド・マウント・ディスプレイを装着したか否かを検出する装着センサーと、
前記ユーザー操作部を介した音量操作に対する音量の調整を制御する制御部と、
を具備し、
前記制御部は、前記装着センサーにより観察者が前記ヘッド・マウント・ディスプレイを装着していないと検出した無装着状態では、前記ユーザー操作部を介した音量操作をすべて無効にする、
ヘッド・マウント・ディスプレイ。
【請求項３】
観察者が装着して用いるヘッド・マウント・ディスプレイであって、
左眼用並びに右眼用の映像を表示する表示部と、
前記映像に付随した音声を出力する音声出力部と、
前記音声出力部から出力する音量をユーザーが指示操作するユーザー操作部と、
観察者が前記ヘッド・マウント・ディスプレイを装着したか否かを検出する装着センサーと、
前記ユーザー操作部を介した音量操作に対する音量の調整を制御する制御部と、
を具備し、
前記制御部は、前記装着センサーにより観察者が前記ヘッド・マウント・ディスプレイを装着していないと検出した無装着状態では、前記ユーザー操作部を介した音量の増大及び低下を指示する連続操作を無効にする、
ヘッド・マウント・ディスプレイ。
【請求項４】
観察者が装着して用いるヘッド・マウント・ディスプレイであって、
左眼用並びに右眼用の映像を表示する表示部と、
前記映像に付随した音声を出力する音声出力部と、
前記音声出力部から出力する音量をユーザーが指示操作するユーザー操作部と、
観察者が前記ヘッド・マウント・ディスプレイを装着したか否かを検出する装着センサーと、
前記ユーザー操作部を介した音量操作に対する音量の調整を制御する制御部と、
を具備し、
前記制御部は、前記装着センサーにより観察者が前記ヘッド・マウント・ディスプレイを装着していないと検出した無装着状態では、前記ユーザー操作部を介した音量の増大を指示する連続操作を無効にする、
ヘッド・マウント・ディスプレイ。
【請求項５】
左眼用並びに右眼用の映像の映像信号を処理する映像信号処理ステップと、
前記映像に付随した音声を出力する音声出力ステップと、
前記音声出力ステップにおいて出力する音量に対するユーザーの指示操作を入力するユーザー入力ステップと、
観察者がヘッド・マウント・ディスプレイを装着したか否かを検出する装着検出ステップと、
前記ユーザー入力ステップで入力した音量操作に対する音量の調整を制御する制御ステップと、
を有し、
前記制御ステップでは、前記装着検出ステップにおいて観察者が前記ヘッド・マウント・ディスプレイを装着していないと検出した無装着状態では、前記ヘッド・マウント・ディスプレイが備えるユーザー操作部を介した音量の増大を指示する操作を無効にする、
ヘッド・マウント・ディスプレイの制御方法。
【発明の詳細な説明】
【技術分野】
【０００１】
本明細書で開示する技術は、ユーザーの頭部に装着して映像の視聴に供されるヘッド・マウント・ディスプレイ及びその制御方法に係り、特に、ユーザーが装着していないときの誤操作を防止するヘッド・マウント・ディスプレイ及びその制御方法に関する。
【背景技術】
【０００２】
頭部に装着して映像を視聴する表示装置、すなわちヘッド・マウント・ディスプレイ（ＨＭＤ）が広く知られている。ヘッド・マウント・ディスプレイは、左右の眼毎に光学ユニットを持ち、また、ヘッドフォンと併用し、視覚及び聴覚を制御できるように構成されている。頭部に装着した際に外界を完全に遮るように構成すれば、ブルーレイ・ディスク（ＢＤ）などの再生映像を視聴するときの仮想現実感が増す。また、ヘッド・マウント・ディスプレイは、左右の眼に違う映像を映し出すことも可能であり、左右の眼に視差のある画像を表示すれば３Ｄ画像を提示することができる。
【０００３】
ヘッド・マウント・ディスプレイの左右の眼の表示部には、例えば液晶や有機ＥＬ（Ｅｌｅｃｔｒｏ− Ｌｕｍｉｎｅｓｃｅｎｃｅ）素子などからなる高解像度の表示パネルを用いることができる。また、光学系で適当な画角を設定するとともに、ヘッドフォンで多チャンネルを再現すれば、映画館で視聴するような臨場感を再現することができるであろう。
【０００４】
通常、ヘッド・マウント・ディスプレイ本体には、ユーザーの操作を扱うＵＩ（Ｕｓｅｒ  Ｉｎｔｅｒｆａｃｅ）操作部が装備されている。ここで言うユーザーの操作には、ＢＤプレイヤーなどの再生機器の再生、停止、早送り、早戻し操作や、ヘッドフォンの音量調整が挙げられ、ＵＩ操作部にはこれらの各操作を行なうためのボタンが装備されている。ユーザーは、ＢＤプレイヤーからの再生映像をヘッド・マウント・ディスプレイで視聴中に、再生から停止の操作を行なう。このとき、ユーザーは、ＵＩ操作部を介して、適切な音量に調整して視聴するであろう。
【０００５】
ここで、ユーザーがヘッド・マウント・ディスプレイを頭から外しているときも、ユーザー操作部を介して設定した音量で、ヘッドフォンから音声出力し続けるのが一般的である。これは、ほとんどのＡＶ機器において、ユーザーが機器から立ち去っている間も再生出力し続けることと同様である。
【０００６】
ところが、ユーザーがヘッド・マウント・ディスプレイを頭から外している間に、誤操作や、何らかの重みが加わるなどの外的要因で、音量ボタンが「＋」すなわち音量増大方向に長押し（連続操作）されると、ユーザーが知らない間に音量が最大になる。
【０００７】
その後、ユーザーがヘッド・マウント・ディスプレイを再び装着して視聴を再開すると、爆音となり、ユーザーの聴覚障害や聴覚を起因とした健康被害を起こすおそれがある。
【０００８】
例えば、各種画面設定や音量設定の確定操作を行なう確定スイッチの操作方向を選択スイッチの操作方向に対して略９０度ずれた方向にして、選択スイッチと確定スイッチの誤操作を防止するヘッド・マウント・ディスプレイについて提案がなされている（例えば、特許文献１を参照のこと）。しかしながら、このヘッド・マウント・ディスプレイは、視聴中すなわち装着中のユーザーが誤った操作をしないようにするものであるが、ユーザーが視聴していない、すなわち頭部から外していない間の外的要因による誤操作を防止するものではない。付言すれば、選択操作と確定操作の２段階により設定を行なう場合には誤操作を防止できるものもの、例えば「＋」、「−」ボタンのように１段階の操作で音量を調整する場合には誤動作を防止できない。また、選択操作と確定操作の２段階により設定を行なうことは、ユーザーにとって煩雑な操作でもある。
【先行技術文献】
【特許文献】
【０００９】
【特許文献１】特開平１１−１７４９９１号公報
【発明の概要】
【発明が解決しようとする課題】
【００１０】
本明細書で開示する技術の目的は、ユーザーが装着していないときの誤操作を好適に防止することができる、優れたヘッド・マウント・ディスプレイ及びその制御方法を提供することにある。
【００１１】
本明細書で開示する技術のさらなる目的は、無装着状態において外的要因などによって音量が勝手に調整されるような誤操作を好適に防止することができる、優れたヘッド・マウント・ディスプレイ及びその制御方法を提供することにある。
【課題を解決するための手段】
【００１２】
本願は、上記課題を参酌してなされたものであり、請求項１に記載の技術は、
左眼用並びに右眼用の映像を表示する表示部と、
前記映像に付随した音声を出力する音声出力部と、
左眼用映像及び右眼用映像の映像信号を処理する映像信号処理部と、
前記音声出力部から出力する音量をユーザーが指示操作するユーザー操作部と、
観察者が当該装置を装着したか否かを検出する装着センサーと、
前記装着センサーによる検出結果に応じて、前記ユーザー操作部を介した音量操作に対する音量の調整を制御する制御部と、
を具備するヘッド・マウント・ディスプレイである。
【００１３】
本願の請求項２に記載の技術によれば、請求項１に記載のヘッド・マウント・ディスプレイの制御部は、前記装着センサーにより観察者が当該装置を装着していないと検出した無装着状態では、前記ユーザー操作部を介した音量操作をすべて無効にするように構成されている。
【００１４】
本願の請求項３に記載の技術によれば、請求項１に記載のヘッド・マウント・ディスプレイの記制御部は、前記装着センサーにより観察者が当該装置を装着していないと検出した無装着状態では、前記ユーザー操作部を介した音量の増大を指示する操作を無効にするように構成されている。
【００１５】
本願の請求項４に記載の技術によれば、請求項１に記載のヘッド・マウント・ディスプレイの制御部は、前記装着センサーにより観察者が当該装置を装着していないと検出した無装着状態では、前記ユーザー操作部を介した音量の増大又は低下を指示する連続操作を無効にするように構成されている。
【００１６】
本願の請求項５に記載の技術によれば、請求項１に記載のヘッド・マウント・ディスプレイの制御部は、前記装着センサーにより観察者が当該装置を装着していないと検出した無装着状態では、前記ユーザー操作部を介した音量の増大を指示する連続操作を無効にするように構成されている。
【００１７】
また、本願の請求項６に記載の技術は、
左眼用並びに右眼用の映像の映像信号を処理する映像信号処理ステップと、
前記映像に付随した音声を出力する音声出力ステップと、
前記音声出力ステップにおいて出力する音量に対するユーザーの指示操作を入力するユーザー入力ステップと、
観察者がヘッド・マウント・ディスプレイを装着したか否かを検出する装着検出ステップと、
前記装着検出ステップにおける検出結果に応じて、前記ユーザー入力ステップで入力した音量操作に対する音量の調整を制御する制御ステップと、
を有するヘッド・マウント・ディスプレイの制御方法である。
【発明の効果】
【００１８】
本明細書で開示する技術によれば、ユーザーが装着していないときの誤操作を好適に防止することができる、優れたヘッド・マウント・ディスプレイ及びその制御方法を提供することができる。
【００１９】
また、本明細書で開示する技術によれば、無装着状態において外的要因などによって音量が勝手に調整されるような誤操作を好適に防止することができる、優れたヘッド・マウント・ディスプレイ及びその制御方法を提供することができる。
【００２０】
本明細書で開示する技術のさらに他の目的、特徴や利点は、後述する実施形態や添付する図面に基づくより詳細な説明によって明らかになるであろう。
【図面の簡単な説明】
【００２１】
【図１】図１は、ヘッド・マウント・ディスプレイを含む画像表示システムの構成を模式的に示した図である。
【図２】図２は、ヘッド・マウント・ディスプレイ１０の内部構成を模式的に示した図である。
【図３Ａ】図３Ａは、ヘッド・マウント・ディスプレイ１０を左斜め前方から俯瞰した斜視図である。
【図３Ｂ】図３Ｂは、ヘッド・マウント・ディスプレイ１０を分解した様子を示した図である。
【図４】図４は、装着センサー２２１の構成例を示した図である。
【図５】図５は、フロント・エンド・ボックス４０の内部構成例を模式的に示した図である。
【図６】図６は、無装着状態のヘッド・マウント・ディスプレイ１０において、すべての音量操作を無効にする場合の操作フローを示した図である。
【図７】図７は、無装着状態のヘッド・マウント・ディスプレイ１０において、音量を増大する方向の操作を無効にする場合の操作フローを示した図である。
【図８】図８は、無装着状態のヘッド・マウント・ディスプレイ１０において、「＋」方向並びに「−」方向の双方のボタンの長押し操作を無効にする場合の操作フローを示した図である。
【図９】図９は、無装着状態のヘッド・マウント・ディスプレイ１０において、「＋」方向のボタンの長押し操作を無効にする場合の操作フローを示した図である。
【発明を実施するための形態】
【００２２】
以下、図面を参照しながら本明細書で開示する技術の実施形態について詳細に説明する。
【００２３】
図１には、ヘッド・マウント・ディスプレイを含む画像表示システムの構成を模式的に示している。図示のシステムは、ヘッド・マウント・ディスプレイ１０本体と、視聴コンテンツのソースとなるブルーレイ・ディスク再生装置２０と、ブルーレイ・ディスク再生装置２０の再生コンテンツの他の出力先となるハイビジョン・ディスプレイ（例えば、ＨＤＭＩ対応テレビ）３０と、ブルーレイ・ディスク再生装置２０から出力されるＡＶ信号の処理を行なうフロント・エンド・ボックス４０で構成される。
【００２４】
フロント・エンド・ボックス４０は、ブルーレイ・ディスク再生装置２０から出力されるＡＶ信号をＨＤＭＩ入力すると、例えば信号処理して、ＨＤＭＩ出力するＨＤＭＩリピーターに相当する。また、フロント・エンド・ボックス４０は、ブルーレイ・ディスク再生装置２０の出力先をヘッド・マウント・ディスプレイ１０又はハイビジョン・ディスプレイ３０のいずれかに切り替える２出力スイッチャーでもある。図示の例では、フロント・エンド・ボックス４０は２出力であるが、３以上の出力を有していてもよい。但し、フロント・エンド・ボックス４０は、ＡＶ信号の出力先を排他的とし、且つ、ヘッド・マウント・ディスプレイ１０への出力を最優先とする。
【００２５】
なお、ＨＤＭＩ（Ｈｉｇｈ−Ｄｅｆｉｎｉｔｉｏｎ  Ｍｕｔｌｉｍｅｄｉａ  Ｉｎｔｅｒｆａｃｅ）は、ＤＶＩ（Ｄｉｇｉｔａｌ  Ｖｉｓｕａｌ  Ｉｎｔｅｒｆａｃｅ）を基にし、物理層にＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）を用いた、主に音声と映像の伝送を用途としたディジタル家電向けのインターフェース規格である。本システムは、例えばＨＤＭＩ１．４に準拠する。
【００２６】
ブルーレイ・ディスク再生装置２０とフロント・エンド・ボックス４０間、並びに、フロント・エンド・ボックス４０とハイビジョン・ディスプレイ３０間は、それぞれＨＤＭＩケーブルで接続されている。フロント・エンド・ボックス４０とヘッド・マウント・ディスプレイ１０間も、ＨＤＭＩケーブルで接続するように構成することも可能であるが、その他の仕様のケーブルを用いてＡＶ信号をシリアル転送するようにしてもよい。但し、フロント・エンド・ボックス４０とヘッド・マウント・ディスプレイ１０間を接続するケーブル１本で、ＡＶ信号と電力を供給し、且つ、双方向で通信可能であるものとし、ヘッド・マウント・ディスプレイ１０はこのケーブルを介して駆動電力も得ることができる。
【００２７】
ヘッド・マウント・ディスプレイ１０は、左眼用及び右眼用の独立した表示部を備えている。各表示部は、例えば有機ＥＬ素子を用いている。また、左右の各表示部は、低歪みで且つ高解像度の広視野角光学系を装備している。
【００２８】
図２には、ヘッド・マウント・ディスプレイ１０の内部構成を模式的に示している。
【００２９】
信号送受信部２０１は、フロント・エンド・ボックス４０と接続するケーブルを介して、ＡＶ信号を受信したり、ＣＰＵ２０６（後述）で処理された情報信号を送信したりする。本実施形態では、ＡＶ信号はケーブルを介してシリアル転送されるので、信号送受信部２０１では受信信号のシリアル・パラレル変換が行なわれる。
【００３０】
信号処理プロセッサー２０２は、信号送受信部２０１で受信したＡＶ信号を映像信号と音声信号に分離して、それぞれに対して映像信号処理並びに音声信号処理を行なう。
【００３１】
信号処理プロセッサー２０２では、映像信号処理として、輝度レベル調整やコントラスト調整、その他の画質改善が行なわれる。また、信号処理プロセッサー２０２は、ＣＰＵ２０６からの指示により、本来の映像信号に対して各種の処理を適用する。例えば、文字や図形などからなるＯＳＤ（ＯｎＳＣｒｅｅｎ Ｄｉｓｐｌａｙ）情報を生成して、本来の映像信号に重畳する。ＲＯＭ２０５には、ＯＳＤ情報の生成に必要な信号パターンが格納されており、信号処理プロセッサー２０２はＲＯＭ２０５に格納されている情報を読み出す。本来の映像情報に重畳されるＯＳＤ情報の一例は、画面や音声の出力調整などのためのＧＵＩ（Ｇｒａｐｈｉｃａｌ  Ｕｅｒ  Ｉｎｔｅｒｆａｃｅ）である。そして、映像信号処理を経て生成された画面情報は、ＶＲＡＭ（フレーム・メモリー）２０３に一時的に格納される。フロント・エンド・ボックス４０から供給された映像信号が立体視映像信号等左右で映像信号が異なるときには、信号処理プロセッサー２０２は左右の映像信号に分離して、画面情報を生成する。
【００３２】
左右の表示部２０８Ｌ及び２０８Ｒはそれぞれ、有機ＥＬ素子からなる表示パネルと、表示パネルを駆動するゲート・ドライバー及びデータ・ドライバーからなる。また、左右の表示部２０８Ｌ及び２０８Ｒにはそれぞれ広視野角を持つ光学系が装備される。但し、図２では光学系を省略している。
【００３３】
パネル・コントローラー２０４は、所定の表示周期毎にＶＲＡＭ２０３から画面情報を読み出して、各表示部２０８Ｌ及び２０８Ｒへ入力するための信号に変換するとともに、ゲート・ドライバー及びデータ・ドライバーの動作に用いられる、水平同期信号、垂直同期信号などのパルス信号を生成する。
【００３４】
ＣＰＵ（Ｃｅｎｔｒａｌ  Ｐｒｏｃｅｓｓｉｎｇ  Ｕｎｉｔ）２０６は、ＲＯＭ（Ｒｅａｄ  Ｏｎｌｙ  Ｍｅｍｏｒｙ）２０９からＲＡＭ（Ｒａｎｄｏｍ  Ａｃｃｅｓｓ  Ｍｅｍｏｒｙ）２１０にロードされたプログラムを実行して、ヘッド・マウント・ディスプレイ１０全体の動作を統括的に制御する。また、ＣＰＵ２０６は、信号送受信部２０１を介して、フロント・エンド・ボックス４０との情報信号の送受信を制御する。
【００３５】
ヘッド・マウント・ディスプレイ１０本体には、ユーザーが指などで操作可能な１以上の操作子を備えたユーザー操作部２２０が装備されている。操作子は、図示しないが、例えば上下左右のカーソルキーと、中央の決定キーの組み合わせからなる。また、本実施形態では、ヘッドフォン２１２Ｌ、２１２Ｒの音量を増大する「＋」ボタンと、音量を低下させる「−」ボタンもユーザー操作部２２０に含まれるものとする。ＣＰＵ２０６は、ユーザー操作部２２０から入力されたユーザーの指示に従って、表示部２０８Ｒ、２０８Ｌからの映像出力やヘッドフォン２１２Ｌ、２１２Ｒからの音声出力などに関する処理を信号処理プロセッサー２０２に対して指示する。また、ユーザー操作部２２０から映像の再生、停止、早送り、早戻しなどのコンテンツ再生に関する操作が指示されると、ＣＰＵ２０６は、信号送受信部２０１からフロント・エンド・ボックス４０へ、指示内容を通知するための情報信号を送信する。
【００３６】
また、本実施形態では、ヘッド・マウント・ディスプレイ１０は、装着センサー２２１、加速度センサー２２２、輝度センサー２２３などの複数のセンサーを装備している。これらのセンサー出力は、ＣＰＵ２０６に入力される。
【００３７】
装着センサー２２１は、例えば機械スイッチなどからなる（後述）。ＣＰＵ２０６は、このセンサー出力によってヘッド・マウント・ディスプレイ１０がユーザーに装着されているかどうか、すなわち、ヘッド・マウント・ディスプレイ１０が現在使用中であるかどうかを判定することができる。
【００３８】
加速度センサー２２２は、例えば３軸で構成され、ヘッド・マウント・ディスプレイ１０に加わる加速度の大きさ及び方向を検出する。ＣＰＵ２０６は、取得した加速度情報に基づいて、ヘッド・マウント・ディスプレイ１０を装着したユーザーの頭部の移動をトラッキングすることができる。
【００３９】
輝度センサー２２３は、ヘッド・マウント・ディスプレイ１０が現在置かれている環境における輝度を検出する。ＣＰＵ２０６は、輝度センサー２２３は、取得した輝度情報に基づいて、映像信号に対して適用する輝度レベル調整を制御するようにしてもよい。
【００４０】
また、ＣＰＵ２０６は、必要に応じて、各センサー２２１〜２２３から取得したセンサー情報を、信号送受信部２１１からフロント・エンド・ボックス４０に送信することもできる。
【００４１】
電源部２３０は、フロント・エンド・ボックス４０から供給される駆動電力を、図２中の破線で囲まれた各回路部品へ供給する。また、ヘッド・マウント・ディスプレイ１０本体には、ユーザーが指などで操作可能な電源スイッチ２３１が装備されている。電源部２３０は、電源スイッチ２３１が操作されたことに応じて、回路部品への給電のオン／オフを切り替えるようになっている。
【００４２】
なお、電源スイッチ２３１で電源オフにした状態は、電源部２３０は給電状態で待機している、ヘッド・マウント・ディスプレイ１０の「スタンバイ」状態とする。また、フロント・エンド・ボックス４０側では、電源部２３０と接続される信号線の電圧レベルの変化に基づいて、各回路部品が給電され動作している状態すなわち使用状態か、非使用状態かを判別することができる。
【００４３】
図３には、ヘッド・マウント・ディスプレイ１０の外観の構成例を示している。但し、図３Ａは左斜め前方から俯瞰した斜視図であり、図３Ｂは、大まかに分解した様子を示した図である。図３Ｂに示すように、ヘッド・マウント・ディスプレイ１０は、図２に示した主要部品のうち、表示系統を含む大部分の部品を含んだディスプレイ・ユニット部３０１と、ディスプレイ・ユニット部を覆う外筐３０２と、外筐３０２の上面から突設した額当て部３０４と、上バンド３０５Ａ及び３０５Ｂからなるヘッド・バンド３０５と、左右のヘッドフォン２１２Ｌ、２１２Ｒを収容するヘッドフォン部３０３Ｌ、３０３Ｒからなる。ディスプレイ・ユニット部３０１内には、表示部２０８Ｌ、２０８Ｒや、回路基板が収容される。
【００４４】
ユーザーがヘッド・マウント・ディスプレイ１０を頭部に装着したとき、額当て部３０４がユーザーの額に当接するとともに、ヘッド・バンド３０５が頭部の後方に当接する。図３Ａ、図３Ｂでは詳細な図解は省略するが、ヘッド・バンド３０５は、長さの調整が可能であるとともに、伸縮可能な素材からなり、ヘッド・バンド３０５が頭部に巻き付く格好となって、ヘッド・マウント・ディスプレイ１０を頭部に固定する。
【００４５】
また、図３には図示しないが、ユーザー操作部２２０のうち、ヘッドフォン２１２Ｌ、２１２Ｒの音量を増大・低下する「＋」、「−」ボタンは、例えばヘッド・マウント・ディスプレイ１０本体の底面部分に配設されている。
【００４６】
図４には、装着センサー２２１の構成例を図解している。図示の例では、額当て部３０４は、回転軸１４２によって、ヘッド・マウント・ディスプレイ１０の外筐に回動可能に支持されている。額当て部３０４は、非装着時には、スプリング１４４の復元力によって、ヘッド・マウント・ディスプレイ１０の後方、すなわち装着するユーザーの額側へ向かった非装着位置へ押し出されている。そして、装着時には、ユーザーの額が当接することによって、前方の装着位置へ押し戻される。また、回転軸１４２には、前方に突設したアーム１４３が取り付けられている。そして、ユーザーが装着して額当て部３０４が前方へ押し戻されると、アーム１４３が連動して、その先端部で（装着センサーに相当する）タクト・スイッチ１４１を操作する。ＣＰＵ２０６は、タクト・スイッチ１４１の操作から、ヘッド・マウント・ディスプレイ１０がユーザーに装着されたことを検出することができる。
【００４７】
図５には、フロント・エンド・ボックス４０の内部構成例を模式的に示している。
【００４８】
ＨＤＭＩ入力部５０１は、ＨＤＭＩインターフェースに準拠し、ＨＤＭＩケーブルで接続されるブルーレイ・ディスク再生装置２０から再生出力されるＡＶ信号を、ＨＤＭＩケーブル経由で入力して等化処理などの信号処理を行なう。
【００４９】
また、第１の出力部５０２にはヘッド・マウント・ディスプレイ１０が接続され、第２の出力部５０３にはハイビジョン・ディスプレイ３０が接続される。
【００５０】
第２の出力部５０３は、ＨＤＭＩインターフェースに準拠し、ＨＤＭＩケーブルで接続されるハイビジョン・ディスプレイ３０へ、ＡＶ信号を出力する。なお、フロント・エンド・ボックス４０が複数の第２の出力部５０３を装備し、２以上のＨＤＭＩ対応テレビへＡＶ信号を出力するように構成することもできる。
【００５１】
一方、第１の出力部５０２は、独自のインターフェース仕様に準拠するものとする。勿論、ＨＤＭＩインターフェースに準拠するよう、第１の出力部５０２を構成することもできる。第１の出力部５０２は、この独自のインターフェース仕様に準拠したケーブル１本で、ヘッド・マウント・ディスプレイ１０と接続され、このケーブル越しにヘッド・マウント・ディスプレイ１０との間で、ＡＶ信号の送信や、各種情報信号の送受信、駆動電力の供給を行なうようになっている。
【００５２】
制御部５０６は、フロント・エンド・ボックス４０内の各部の動作を統括的にコントロールする。
【００５３】
出力切換部５０４は、ＨＤＭＩ入力部５０１に入力されるＡＶ信号の出力先を、第１の出力部５０２又は第２の出力部５０３のいずれか、すなわち、ヘッド・マウント・ディスプレイ１０又はハイビジョン・ディスプレイ３０のいずれかに択一的に切り換える。本実施形態では、出力切換部５０４は、ＡＶ信号の出力先を排他的とし、且つ、ヘッド・マウント・ディスプレイ１０への出力を最優先する。
【００５４】
また、フロント・エンド・ボックス４０本体には、ユーザーが指などで操作可能な１以上の操作子を備えたユーザー操作部５０９が装備されている。ユーザーは、ユーザー操作部５０９からＡＶ信号の出力先の切り換えを指示することもできる。
【００５５】
音声ＤＡＣ５０５は、ＨＤＭＩ入力部５０１で分離された音声信号をアナログ変換し、ヘッドフォン（ＨＰ）・コネクター５０７から出力する。
【００５６】
ここで、ヘッドフォン２１２Ｌ、２１２Ｒの音量調整は、上述したように、ユーザー操作部２２０のうち「＋」、「−」ボタンを操作することにより、操作した回数に応じたステップ数だけ、音量が増大又は低下する。勿論、「＋」、「−」ボタンを長押しすなわち連続操作すると、複数ステップ数だけ連続して音量を増大又は低下するように構成することもできる。また、ユーザーがヘッド・マウント・ディスプレイ１０を頭から外しているときも、ユーザー操作部を介して設定した音量で、ヘッドフォンから音声出力し続けるのが一般的である。
【００５７】
ところが、ユーザーがヘッド・マウント・ディスプレイ１０を頭から外している間に、誤操作や、何らかの重みが加わるなどの外的要因で、音量ボタンが「＋」すなわち音量増大方向に長押しされると、ユーザーが知らない間に音量が最大になってしまう。「＋」、「−」ボタンがヘッド・マウント・ディスプレイ１０本体の底面部分に配設されている機種であれば、テーブルの上に置いておくだけで、「＋」ボタンが押され、さらには長押しされる可能性がある。
【００５８】
その後、ユーザーがヘッド・マウント・ディスプレイ１０を再び装着して視聴を再開すると、爆音となり、ユーザーの聴覚障害や聴覚を起因とした健康被害を起こすおそれがある。「＋」ボタンだけでなく「−」ボタンが無装着時に勝手に操作されても、ユーザーが知らない間に音量が変化するので、不都合である。しかしながら、消音では聴覚障害は起きないが、爆音では聴覚障害を起こすおそれがあるので、とりわけ無装着時の「＋」ボタンの誤操作は問題である。
【００５９】
そこで、本実施形態では、ユーザーがヘッド・マウント・ディスプレイ１０を装着していない、ヘッド・マウント・ディスプレイ１０の「無装着」状態に応じて、ユーザーによる音量操作に対する音量調整制御を行なうようにしている。無装着状態における音量調整制御として、以下のような方法が挙げられる。
【００６０】
（１）無装着状態では、すべての音量操作を無効にする。
（２）無装着状態では、「＋」方向すなわち音量を増大する方向の操作を無効にする。
（３）無装着状態では、「＋」方向並びに「−」方向のボタンの長押し操作を無効にする。
（４）無装着状態では、「＋」方向のボタンの長押し操作を無効にする。
【００６１】
図２並びに図４に示したように、本実施形態では、ヘッド・マウント・ディスプレイ１０は、装着センサー２２１を装備しているので、ＣＰＵ２０６は、装着センサー２２１で検出した装着状態に応じて、ユーザー操作部２２０を介した音量操作に対する音量調整制御を、信号処理プロセッサー２０２に指示するようにすればよい。
【００６２】
上記の音量調整制御（１）〜（４）によれば、無装着状態のヘッド・マウント・ディスプレイ１０において、音量ボタンの操作を無効にしてユーザーが知らない間に音量が変化することを防止し、あるいは、音量ボタンの長押し操作だけを無効にして大幅に変化することを防止することができる。したがって、外的要因で音量ボタンが操作されても、音量が全く変化しないか、又は、大幅に変化しない。ユーザーがヘッド・マウント・ディスプレイ１０を再び装着して装着状態に復帰したときに、ユーザーは元と同じ音量で視聴することができるので、違和感を与えずに済む。
【００６３】
また、上記の音量調整制御（２）、（３）によれば、無装着状態のヘッド・マウント・ディスプレイ１０において、「＋」方向のみ音量ボタンの操作を無効にして、音量が増大することを防止し、あるいは、「＋」方向のみ音量ボタンの操作を無効にして、音量が大幅に増大することを防止することができる。したがって、外的要因で音量ボタンが操作されても、音量が全く増大しないか、又は、大幅に増大しない。ユーザーがヘッド・マウント・ディスプレイ１０を再び装着して装着状態に復帰したときに、元の音量よりも増大することはないので、ユーザーの聴覚障害や聴覚を起因とした健康被害を起こすおそれがない。
【００６４】
図６には、無装着状態のヘッド・マウント・ディスプレイ１０において、すべての音量操作を無効にする場合の操作フローを示している。
【００６５】
ユーザーがヘッド・マウント・ディスプレイ１０を装着した装着状態でコンテンツを視聴しているとき、「＋」方向並びに「−」方向の双方のボタンの操作はともに有効である。このとき、ユーザーが、「＋」方向又は「−」方向のボタンを１プッシュ、又は長押ししたとき、操作に応じて音量が増大又は低下する。他方、ユーザーがヘッド・マウント・ディスプレイ１０を外した無装着状態では、「＋」方向並びに「−」方向の双方のボタンの操作はともに無効化されており、１プッシュ、又は長押ししても、音量は変化しない。
【００６６】
また、図７には、無装着状態のヘッド・マウント・ディスプレイ１０において、「＋」方向すなわち音量を増大する方向の操作を無効にする場合の操作フローを示している。この場合、「−」方向すなわち音量を低下する方向の操作は、無装着状態においても有効のままである。
【００６７】
ユーザーがヘッド・マウント・ディスプレイ１０を装着した装着状態でコンテンツを視聴しているとき、「＋」方向並びに「−」方向の双方のボタンの操作はともに有効である。このとき、ユーザーが、「＋」方向又は「−」方向のボタンを１プッシュ、又は長押ししたとき、操作に応じて音量が増大又は低下する。他方、ユーザーがヘッド・マウント・ディスプレイ１０を外した無装着状態では、「＋」方向すなわち音量を増大する方向の操作は無効化されており、１プッシュ、又は長押ししても、音量は増大しない。但し、「−」方向すなわち音量を低下する方向の操作は、無装着状態においても有効のままであり、「−」方向のボタンを１プッシュ、又は長押ししたとき、操作に応じて音量が低下する。
【００６８】
また、図８には、無装着状態のヘッド・マウント・ディスプレイ１０において、「＋」方向並びに「−」方向の双方のボタンの長押し操作を無効にする場合の操作フローを示している。この場合、無装着状態であっても、１プッシュ操作であれば、「＋」方向並びに「−」方向ともにボタン操作は有効である。
【００６９】
ユーザーがヘッド・マウント・ディスプレイ１０を装着した装着状態でコンテンツを視聴しているとき、「＋」方向並びに「−」方向の双方のボタンの操作はともに有効である。このとき、ユーザーが、「＋」方向又は「−」方向のボタンを１プッシュ、又は長押ししたとき、操作に応じて音量が増大又は低下する。他方、ユーザーがヘッド・マウント・ディスプレイ１０を外した無装着状態では、「＋」方向並びに「−」方向の双方のボタンの長押し操作は無効化されており、いずれの音量ボタンを長押ししても、音量は変化しない。但し、「＋」方向並びに「−」方向の双方のボタンの１プッシュ操作は、無装着状態においても有効のままであり、「＋」方向又は「−」方向のボタンを１プッシュすると、プッシュした回数に応じて、音量は増大又は低下する。
【００７０】
また、図９には、無装着状態のヘッド・マウント・ディスプレイ１０において、「＋」方向のボタンの長押し操作を無効にする場合の操作フローを示している。この場合、「−」方向のボタン操作は、１プッシュ、長押しともに常に有効である。また、無装着状態であっても、１プッシュ操作であれば、「＋」方向のボタン操作も有効である。「＋」方向のボタンの長押し操作は無効化されており、「＋」方向のボタンを長押ししても、音量は変化しない。但し、「＋」方向のボタンの１プッシュ操作は、無装着状態においても有効のままであり、「＋」方向のボタンを１プッシュすると、プッシュした回数に応じて音量は増大する。
【００７１】
ユーザーがヘッド・マウント・ディスプレイ１０を装着した装着状態でコンテンツを視聴しているとき、「＋」方向並びに「−」方向の双方のボタンの操作はともに有効である。このとき、ユーザーが、「＋」方向又は「−」方向のボタンを１プッシュ、又は長押ししたとき、操作に応じて音量が増大又は低下する。他方、ユーザーがヘッド・マウント・ディスプレイ１０を外した無装着状態では、「−」方向すなわち音量を低下する方向の操作は、無装着状態においても有効のままであり、「−」方向のボタンを１プッシュ、又は長押ししたとき、操作に応じて音量が低下する。
【００７２】
なお、本明細書の開示の技術は、以下のような構成をとることも可能である。
（１）左眼用並びに右眼用の映像を表示する表示部と、前記映像に付随した音声を出力する音声出力部と、左眼用映像及び右眼用映像の映像信号を処理する映像信号処理部と、前記音声出力部から出力する音量をユーザーが指示操作するユーザー操作部と、観察者が当該装置を装着したか否かを検出する装着センサーと、前記装着センサーによる検出結果に応じて、前記ユーザー操作部を介した音量操作に対する音量の調整を制御する制御部を具備するヘッド・マウント・ディスプレイ。
（２）前記制御部は、前記装着センサーにより観察者が当該装置を装着していないと検出した無装着状態では、前記ユーザー操作部を介した音量操作をすべて無効にする、上記（１）に記載のヘッド・マウント・ディスプレイ。
（３）前記制御部は、前記装着センサーにより観察者が当該装置を装着していないと検出した無装着状態では、前記ユーザー操作部を介した音量の増大を指示する操作を無効にする、上記（１）に記載のヘッド・マウント・ディスプレイ。
（４）前記制御部は、前記装着センサーにより観察者が当該装置を装着していないと検出した無装着状態では、前記ユーザー操作部を介した音量の増大又は低下を指示する連続操作を無効にする、上記（１）に記載のヘッド・マウント・ディスプレイ。
（５）前記制御部は、前記装着センサーにより観察者が当該装置を装着していないと検出した無装着状態では、前記ユーザー操作部を介した音量の増大を指示する連続操作を無効にする、上記（１）に記載のヘッド・マウント・ディスプレイ。
（６）左眼用並びに右眼用の映像の映像信号を処理する映像信号処理ステップと、前記映像に付随した音声を出力する音声出力ステップと、前記音声出力ステップにおいて出力する音量に対するユーザーの指示操作を入力するユーザー入力ステップと、観察者がヘッド・マウント・ディスプレイを装着したか否かを検出する装着検出ステップと、前記装着検出ステップにおける検出結果に応じて、前記ユーザー入力ステップで入力した音量操作に対する音量の調整を制御する制御ステップを有するヘッド・マウント・ディスプレイの制御方法。
【産業上の利用可能性】
【００７３】
以上、特定の実施形態を参照しながら、本明細書で開示する技術について詳細に説明してきた。しかしながら、本明細書で開示する技術の要旨を逸脱しない範囲で当業者が該実施形態の修正や代用を成し得ることは自明である。
【００７４】
本明細書で開示する技術は、ヘッド・マウント・ディスプレイ以外にも、時分割立体視映像表示システムで用いられる３Ｄ眼鏡など、ユーザーが頭部に装着して用いられるさまざまなタイプの表示装置に適用することができる。
【００７５】
要するに、例示という形態により本明細書で開示する技術について説明してきたのであり、本明細書の記載内容を限定的に解釈するべきではない。本明細書で開示する技術の要旨を判断するためには、特許請求の範囲を参酌すべきである。
【符号の説明】
【００７６】
１０…ヘッド・マウント・ディスプレイ
２０…ブルーレイ・ディスク再生装置
３０…ハイビジョン・ディスプレイ
４０…フロント・エンド・ボックス
１４１…タクト・スイッチ
１４２…回転軸
１４３…アーム
１４４…スプリング
２０１…信号送受信部
２０２…信号処理プロセッサー
２０３…ＶＲＡＭ
２０４…パネル・コントローラー
２０５…ＲＯＭ
２０６…ＣＰＵ
２０８Ｌ、２０８Ｒ…表示部
２０９…ＲＯＭ
２１０…ＲＡＭ
２１１…音声ＤＡＣ
２１２Ｌ、２１２Ｒ…ヘッドフォン
２２０…ユーザー操作部
２２１…装着センサー
２２２…加速度センサー
２２３…輝度センサー
２３０…電源部
２３１…電源スイッチ
３０１…ディスプレイ・ユニット部
３０２…外筐
３０３Ｌ、３０３Ｒ…ヘッドフォン部
３０４…額当て部
３０５…ヘッド・バンド、３０５Ａ…上バンド、３０５Ｂ…下バンド
５０１…ＨＤＭＩ（登録商標）入力部
５０２…第１の出力部
５０３…第２の出力部
５０４…出力切換部
５０５…音声ＤＡＣ
５０６…制御部
５０７…ＨＰコネクター
５０９…ユーザー操作部
【図２】
0005923926.tif 000002
【図３Ｂ】
0005923926.tif 000003
【図５】
0005923926.tif 000004
【図６】
0005923926.tif 000005
【図７】
0005923926.tif 000006
【図８】
0005923926.tif 000007
【図９】
0005923926.tif 000008
【図１】
0005923926.tif 000009
【図３Ａ】
0005923926.tif 000010
【図４】
0005923926.tif 000011